(57)【特許請求の範囲】
【請求項１】
放送トランスポートストリームを受信するストリーム受信部と、
前記受信した放送トランスポートストリームからパーシャルトランスポートストリームを生成して記録媒体に記録するパーシャルトランスポートストリーム記録部と、
前記受信した放送トランスポートストリームに年齢視聴制限がかけられている場合にこの年齢視聴制限に関する情報を含むイベントを発生する限定受信モジュールと、
前記限定受信モジュールより発生された前記イベントに含まれる前記年齢視聴制限に関する情報を格納したプライベート記述子を生成し、前記パーシャルトランスポートストリームのセクションに挿入するプライベート記述子挿入部と
を具備する受信装置。
【請求項２】
請求項１に記載の受信装置であって、
前記記録媒体に記録された前記パーシャルトランスポートストリームの再生時に検出された前記年齢視聴制限に関する情報を前記限定受信モジュールに出力する再生制御部
をさらに具備する
受信装置。
【請求項３】
ストリーム受信部が、放送トランスポートストリームを受信し、
限定受信モジュールが、前記受信した放送トランスポートストリームに年齢視聴制限がかけられている場合にこの年齢視聴制限に関する情報を含むイベントを発生し、
パーシャルトランスポートストリーム記録部が、前記受信した放送トランスポートストリームからパーシャルトランスポートストリームを生成して記録媒体に記録し、
プライベート記述子挿入部が、前記限定受信モジュールより発生された前記イベントに含まれる前記年齢視聴制限に関する情報を格納したプライベート記述子を生成し、前記パーシャルトランスポートストリームのセクションに挿入する
受信方法。
【請求項４】
ストリーム受信部に、放送トランスポートストリームを受信させる手順、
パーシャルトランスポートストリーム記録部に、前記受信した放送トランスポートストリームからパーシャルトランスポートストリームを生成して記録媒体に記録させる手順、
前記受信した放送トランスポートストリームに年齢視聴制限がかけられている場合にこの年齢視聴制限に関する情報を含むイベントを発生する限定受信モジュールが発生したイベンに含まれる前記年齢視聴制限に関する情報を格納したプライベート記述子を生成し、前記パーシャルトランスポートストリームのセクションに挿入する手順を、
コンピュータに実行させるプログラム。
【発明の詳細な説明】
【技術分野】
【０００１】
この発明は、放送トランスポートストリームを受信してパーシャルトランスポートストリームを記録することのできる受信装置、受信方法およびプログラムに関する。
【背景技術】
【０００２】
近年、ＢＳデジタル放送、広帯域ＣＳデジタル放送、そして地上デジタル放送（以下、適宜、単にデジタル放送と略す）が開始されている。わが国におけるデジタル放送は、ＡＲＩＢ（Association of Radio Industries and Businesses）の規格に基づいて行われている。このＡＲＩＢの規格は、ヨーロッパのＤＶＢ（Digital Video Broadcasting）方式の規格に準拠しており、ＭＰＥＧ２−ＴＳ（Moving Picture Experts Group phase 2-Transport Stream）のシステムで映像および音声を放送するものである。
【０００３】
ＭＰＥＧ２−ＴＳには、ＰＳＩ（Program Specific Information）やＳＩ（Service Information）のセクション形式のテーブルで記述された情報のパケットが含められる。ＰＳＩは、所望の放送のチャンネルを選択して受信するシステムで必要な情報であり、これには、ＰＡＴ（Program Association Table）、ＰＭＴ（Program Map Table）、ＮＩＴ（Network Information Table）、ＣＡＴ（Condition Access Table）などがある。ＰＡＴにはプログラム番号に対応したＰＭＴのＰＩＤ（Packet Identifier）などが記述されている。ＰＭＴには対応するプログラムに含まれる映像、音声、付加データおよびＰＣＲ（Program Clock reference）のＰＩＤが記述される。ＮＩＴには、目的のプログラムがどの搬送波周波数で送られているかが記述されている。ＣＡＴには、限定受信方式の識別と契約情報等の個別情報に関する情報が記述される。ＳＩは、放送事業者のサービスに用いるセクションである。
【０００４】
ところで、デジタル放送ではＭＰＥＧ２方式で圧縮されたＭＰＥＧ２−ＴＳを、デジタル信号のまま高速デジタルインターフェースを伝送させ、例えばブルーレイディスク等の記録媒体に記録し、再生することが行われる。デジタル放送の番組を記録する場合、ＭＰＥＧ２−ＴＳからユーザが録画したい番組を構成するパケットのみを取り出して受信機側で再構成したパーシャルトランスポートストリーム（Partial Transport Stream：以下「パーシャルＴＳ」と称する）を記録媒体に記録する。
【０００５】
パーシャルＴＳでは、所望の番組のオーディオ、ビデオ、データの各パケットと、ＰＡＴおよびＰＭＴセクションのパケットおよびＳＩＴ（Selection Information Table）セクションとＤＩＴ（Discontinuity Information Table）セクションのパケットが作成される。
【０００６】
なお、パーシャルＴＳの詳細については、DVB ETS 300 468 Specification for Service Information（SI）in DVB systems、ARIB- STD B1/B21、及びARIB TRB 15 / TR B14に記載されている。
【先行技術文献】
【特許文献】
【０００７】
【特許文献１】特開２００２−３３５４８８号公報
【発明の概要】
【発明が解決しようとする課題】
【０００８】
パーシャルＴＳを記録再生するシステムは、システムが規格に準拠したテーブルを構築し、規格において定められている記述子をテーブルに挿入することにより、規格に定められた情報のみを記録再生もしくはデジタル送出している。送出もしくは記録されたパーシャルＴＳを受信もしくは再生するシステムにおいては、システムの規格に定められた記述子及びテーブルのみを解釈し、ユーザへの情報提示等を行っていた。
【０００９】
しかしながら、放送トランスポートストリーム以外の由来のイベントをパーシャルＴＳに記述するための記述子は規格上存在しない。放送トランスポートストリーム以外の由来のイベントの１つとして、例えば、限定受信モジュール（ＣＡＭ：Conditional Access Module）による視聴年齢制限の制御などがある。その他、パーシャルＴＳとして記録された番組の中でユーザが気に入ったシーンに対してブックマークを設定すること、なども挙げられる。
【００１０】
以上のような事情に鑑み、本技術の目的は、放送トランスポートストリーム以外の由来のイベントをパーシャルＴＳに記録することのできる受信装置、受信方法およびプログラムを提供することにある。
【課題を解決するための手段】
【００１１】
上記の課題を解決するために、本技術の受信装置は、放送トランスポートストリームを受信するストリーム受信部と、前記受信した放送トランスポートストリームからパーシャルトランスポートストリームを生成して記録媒体に記録するパーシャルトランスポートストリーム記録部と、前記受信した放送トランスポートストリームに関連するイベントを発生するイベント発生部と、前記発生したイベントに関する情報をプライベート記述子として作成し、前記パーシャルトランスポートストリームのセクションに挿入するプライベート記述子挿入部とを具備する。
【００１２】
前記イベント発生部は、限定受信モジュールであって、前記受信した放送トランスポートストリームに年齢視聴制限がかけられている場合に前記イベントを発生し、前記プライベート記述子挿入部は、前記放送トランスポートストリームにかけられた年齢視聴制限に関する情報を前記イベントに関する情報として格納した前記プライベート記述子を生成することとしてもよい。
【００１３】
上記の受信装置は、前記記録媒体に記録された前記パーシャルトランスポートストリームの再生時に検出された前記年齢視聴制限に関する情報を前記限定受信モジュールに出力する再生制御部をさらに具備するものであってよい。
【００１４】
前記イベント発生部は、前記受信し再生された放送トランスポートストリームに対してブックマークを付加することの指定をユーザより受け付ける入力部であって、前記ブックマークを付加することの指定を受け付けたとき前記イベントを発生し、前記プライベート記述子挿入部は、前記付加されたブックマークに関する情報を前記イベントに関する情報として格納した前記プライベート記述子を生成するものであってよい。
【００１５】
前記再生制御部は、ユーザにより選択された所望のブックマークをキーを前記パーシャルトランスポートストリームを検索するものであってよい。
【００１６】
前記プライベート記述子挿入部は、前記イベントに関する情報の実体を前記記録媒体に記録し、前記イベントに関する情報の実体を参照するための参照情報を前記プライベート記述子に格納するものであってよい。
【００１７】
本技術に係る受信方法は、ストリーム受信部が、放送トランスポートストリームを受信し、イベント発生部が、前記受信し再生される放送トランスポートストリームに関連するイベントを発生し、パーシャルトランスポートストリーム記録部が、前記放送ストリームデータからパーシャルトランスポートストリームを生成して記録媒体に記録し、プライベート記述子挿入部が、前記発生したイベントに関する情報を格納したプライベート記述子を生成し、前記記録媒体に記録されたパーシャルトランスポートストリームのセクションに挿入する、というものである。
【００１８】
本技術に係るプログラムは、ストリーム受信部に、放送トランスポートストリームを受信させる手順、パーシャルトランスポートストリーム記録部に、前記受信した放送トランスポートストリームからパーシャルトランスポートストリームを生成して記録媒体に記録させる手順、前記受信した放送トランスポートストリームに関連するイベントを発生するイベント発生部が発生したイベントに関する情報をプライベート記述子として作成し、前記パーシャルトランスポートストリームのセクションに挿入する手順を、コンピュータに実行させるプログラムである。
【発明の効果】
【００１９】
以上のように、本技術によれば、放送トランスポートストリーム以外の由来のイベントをパーシャルＴＳに記録することができる。
【図面の簡単な説明】
【００２０】
【図１】本技術に係る第１の実施形態の受信装置の構成を示すブロック図である。
【図２】図１の受信装置のパーシャルＴＳの再生時の状態を示す図である。
【図３】パーシャルＴＳの記録時のＰＡＴ、ＰＭＴ、ＤＩＴ、ＳＩＴの作成を示す図である。
【図４】ＭＰＥＧの登録記述子（registration descriptor）のフォーマットを示す図である。
【図５】図４の登録記述子（registration descriptor）に視聴年齢制限情報およびブックマーク情報を格納した例を示す図である。
【図６】図１の受信装置によるパーシャルＴＳの記録動作のフローチャートである。
【図７】パーシャルＴＳの記録時に視聴年齢制限イベントが３回発生した場合のＰＭＴの記録例を示す図である。
【図８】図７に示したＰＭＴの記録例に対する再生動作を説明する図である。
【図９】パーシャルＴＳのＰＭＴに挿入されたイベントに関する情報を更新できるようにするための仕組みを説明する図である。
【図１０】パーシャルＴＳのＰＭＴに挿入されたイベントに関する情報の更新例を説明するための図である。
【発明を実施するための形態】
【００２１】
以下、本技術に係る実施形態を、図面を参照しながら説明する。
＜第１の実施形態＞
本実施形態は、放送のトランスポートストリーム（ＴＳ）を受信し、パーシャルＴＳを作成して記録媒体に記録し、再生することが可能な受信装置に関するものである。
【００２２】
［受信装置の構成］
図１は本技術に係る第１の実施形態の受信装置の構成を示すブロック図である。
受信装置１０は、受信用アンテナ１１、フロントエンド１３、ＣＡＭ１５、デマルチプレクス（Demux）１９、Ａ/Ｖコントローラ２１、ディスプレイ／スピーカ２３、ＰＩＤパーサ２５、ストレージコントローラ２７、ストレージ２９、ホストコントローラ３１、入力部３３およびホストバス３５を有する。
【００２３】
受信用アンテナ１１は、例えば、ＢＳデジタル放送、広帯域ＣＳデジタル方法、地上デジタル放送などのデジタル放送波を受信する。
【００２４】
フロントエンド１３は、チューナ回路および復調回路を有する。チューナ回路はホストコントローラ３１からの制御信号に基づき、放送受信信号の中から所望の搬送波周波数の放送信号を選択して復調回路に供給する。復調回路は、チューナ回路により選択された放送信号に対して、例えば、ＢＰＳＫ（Binary Phase Shift Keying）、ＱＰＳＫ（Quadrature Phase Shift Keying）、ＴＣ−８ＰＳＫ（トレリス８相ＰＳＫ）などの復調処理を行う。
【００２５】
受信用アンテナ１１とフロントエンド１３は、放送トランスポートストリームを受信するストリーム受信部に相当する。
【００２６】
限定受信モジュール（ＣＡＭ：Conditional Access Modsule）１５は、デスクランブル、暗号化解除、コピー制御、聴取年齢制限制御、有料番組視聴制限制御などを行う。デスクランブルによってビデオ、オーディオ、その他の情報が多重化された放送トランスポートストリーム（ＴＳ）が復元される。復元された放送トランスポートストリームはデマルチプレクス１９とＰＩＤパーサ２５に供給される。限定受信モジュール１５はイベント発生部に相当する。
【００２７】
デマルチプレクス１９は、放送トランスポートストリームに多重化されたビデオストリーム、オーディオストリーム、その他の情報（ＰＳＩ／ＳＩ：Program Specific Information / Service Information）のパケットを、それぞれのパケットのヘッダ部に記述されているパケット識別子（ＰＩＤ：Packet Identifier）をもとに分離する。デマルチプレクス１９により分離されたビデオストリームおよびオーディオストリームはＡ/Ｖコントローラ２１に供給される。また、デマルチプレクス１９により分離された情報パケットはホストコントローラ３１に供給される。
【００２８】
Ａ/Ｖコントローラ２１は、ビデオストリームをデコードするビデオデコーダおよびオーディオストリームをデコードするオーディオデコーダを有する。ビデオデコーダはビデオストリームをデコードしてビデオ信号をディスプレイ／スピーカ２３のディスプレイに供給する。オーディオデコーダはオーディオストリームをデコードしてオーディオ信号をディスプレイ／スピーカ２３のスピーカに供給する。
【００２９】
ディスプレイ／スピーカ２３は、ディスプレイとスピーカを有する。ディスプレイ／スピーカ２３のディスプレイには、再生されたビデオの他、ユーザに対するメニュー、各種リスト、年齢視聴制限制御の設定および解除のためのパスワード入力用の画面などが表示される。ディスプレイ／スピーカ２３のスピーカからは、再生されたオーディオ信号が可聴音として出力される。
【００３０】
ＰＩＤパーサ２５は、限定受信モジュール１５より供給された放送トランスポートストリームの中から、ホストコントローラ３１により指定された番組のパーシャルＴＳを構成するために必要なパケットを選択してストレージコントローラ２７に供給する（パーシャルトランスポートストリーム記録部）。
【００３１】
ホストコントローラ３１は、ＣＰＵ（Central Processing Unit）、ＲＯＭ（Read Only Memory）、ＲＡＭ（Random Access Memory）などを有する。ホストコントローラ３１において、ＲＯＭは、ＣＰＵに実行させるプログラムやデータが固定的に記憶される。ＲＡＭは、ＣＰＵのメインメモリとして用いられる。
【００３２】
ホストコントローラ３１は、パーシャルＴＳを構成するために、図３に示すように、放送トランスポートストリーム４１から分離されたＰＳＩ／ＳＩ（Program Specific Information / Service Information）４２から、パーシャルＴＳ４３のためのＰＡＴ（Program Association Table）４４、ＰＭＴ（Program Map Table）４５、ＤＩＴ（Discontinuity Information Table）４６、ＳＩＴ（Selection Information Table）４７を作成して、ストレージコントローラ２７に供給する。
【００３３】
なお、図３は、放送トランスポートストリーム４１に挿入されたＰＳＩ（Program Specific Information）およびＳＩ（Service Information）からProgramNum=20の番組のパーシャルＴＳ４３を作成した場合を示す。
【００３４】
ここで、ＰＡＴ４４は、パーシャルＴＳ４３に関連するＰＭＴ４５を伝送するＴＳパケットのパケット識別子（ＰＩＤ）を指定するテーブルである。
ＰＭＴ４５は、番組を構成する各符号化信号を伝送するＴＳパケットのパケット識別子を指定するテーブルである。
ＤＩＴ４６は、パーシャルＴＳで伝送される番組の番組配列情報が不連続かもしれない変化点を指示するテーブルである。
ＳＩＴ４７は、パーシャルＴＳで伝送される番組に関する情報を指示するテーブルである。
【００３５】
ストレージコントローラ２７は、ＰＩＤパーサ２５から供給されたパケットに、ホストコントローラ３１より供給された上記のＰＡＴ、ＰＭＴ、ＤＩＴ、ＳＩＴを挿入してパーシャルＴＳをストレージ２９に記録する。
【００３６】
ストレージ２９は、パーシャルＴＳの記録と読み出しが行われる記録媒体である。ストレージ２９は、具体的には、ＨＤＤ（Hard disc Drive）、ブルーレイディスクなどである。
【００３７】
入力部３３は、操作用ボタンからのキー入力処理を行う。ユーザは入力部３３を操作して、メニューからの選択、各種リストからの選択、年齢視聴制限制御の設定および解除のためのパスワード入力、ブックマークの設定、検索用のブックマークの選択などを行うことができる。
【００３８】
この受信装置１０において、ストレージ２９に記録されたパーシャルＴＳを再生する場合は、図２に示すように、ストレージ２９からパーシャルＴＳが取り出されてデマルチプレクス１９に供給される。デマルチプレクス１９により分離されたビデオストリームおよびオーディオストリームがＡ/Ｖコントローラ２１に供給されるとともに上記のＰＡＴ、ＰＭＴ、ＤＩＴ、ＳＩＴがホストコントローラ３１に供給され、解釈される。これによりディスプレイ／スピーカ２３に番組の映像と音声が提示される。
【００３９】
［典型的な受信装置が有する課題］
パーシャルＴＳを記録再生するシステムでは、システムが規格に準拠したテーブルを構築し、規格において定められている記述子をテーブルに挿入することにより、規格に定められた情報のみを記録再生もしくはデジタル送出している。送出もしくは記録されたパーシャルＴＳを受信もしくは再生するシステムにおいては、システムの規格に定められた記述子及びテーブルのみを解釈し、ユーザへの情報提示等を行う。
【００４０】
しかしながら、放送トランスポートストリーム以外の由来のイベントをパーシャルＴＳに記述するための記述子は規格上存在しない。
【００４１】
放送トランスポートストリーム以外の由来のイベントの１つとして、限定受信モジュール１５による視聴年齢制限制御などがある。
【００４２】
すなわち、ＢＳデジタル放送、ＣＳデジタル放送、欧州の地上デジタル放送においては、番組の内容に応じて視聴年齢制限がレイティング情報（パレンタルレート）によって設定される。限定受信モジュール１５は、ＰＳＩ／ＳＩに記載された番組のレイティング情報（パレンタルレート）と、ユーザが受信装置１０に設定したパレンタルレベル（聴取最小年齢）とを比較し、レイティング情報（パレンタルレート）がパレンタルレベル（聴取最小年齢）を超えている場合、パレンタル制御対象番組であることを判定して、ユーザにパスワード（暗証番号）の入力を求める。限定受信モジュール１５は、そこで入力されたパスワードと、事前にユーザが受信装置１０に設定したパスワードとが一致した場合にのみ、パレンタル制御対象番組の聴取を可能とする。
【００４３】
パーシャルＴＳでは、限定受信モジュールを由来とするレイティング情報（パレンタルレート）を埋め込むための記述子が規格上定義されていないため、パーシャルＴＳの再生時にレイティング情報に基づく視聴年齢制限制御を行うことができなかった。
【００４４】
また、放送トランスポートストリーム以外の由来の他のイベントとしては、パーシャルＴＳで記録された番組の中でユーザによって指定された任意のシーンに対してブックマークの情報が設定されるイベントなど、ユーザの操作に起因した様々なイベントも考えられる。
【００４５】
本実施形態は、このような限定受信モジュール由来の視聴年齢制限情報、ブックマーク情報など、受信した放送トランスポートストリームに関連して発生するイベントであって、パーシャルＴＳの規格や放送規格で定められている記述子では表すことができないイベントに関する情報を、例えば、図３に示すように、ＰＭＴのプログラムの記述子領域などのセクションにプライベートな記述子（Private Data）４５Ａとして挿入することによって上記の課題を解決する。
【００４６】
プライベートな記述子としては、例えば、ＭＰＥＧで定義されている登録記述子（registration descriptor）などを用いることができる。
【００４７】
図４は、このＭＰＥＧの登録記述子（registration descriptor）のフォーマットを示す図である。
この登録記述子（registration descriptor）は、記述子タグ（descriptor_tag）、記述子長（descriptor_length）、フォーマット識別（format identifier）、付加識別情報（additional_identification_info）などで構成される。ここで、付加識別情報（additional_identification_info）は、フォーマット識別を取得した者が定義した情報である。
【００４８】
この付加識別情報（additional_identification_info）のフィールドに、例えば視聴年齢制限情報やブックマーク情報など、パーシャルＴＳの規格や放送規格で定められている記述子では表すことのできないイベントに関する情報を格納することができる。
【００４９】
図５は、登録記述子（registration descriptor）４８の中の付加識別情報（additional_identification_info）のフィールドに視聴年齢制限情報５１およびブックマーク情報５２を格納した例である。
【００５０】
視聴年齢制限情報５１において、限定受信モジュール識別子（cam_id）は、限定受信モジュール１５に予め与えられた識別情報である。
レイティング情報（am_parental_control_age）は、番組の視聴に対する制限年齢に相当する値（パレンタルレート）である。
プライベートデータ長（cam_parental_control_private_data_length）は、プライベートデータの長さである。
年齢視聴制限制御データ（cam_parental_control_private_data）は限定受信モジュール１５に実行させる年齢視聴制限の制御データである。
【００５１】
ブックマーク情報５２において、ブックマーク識別子（bookmark_id）はブックマークに与えられた通し番号である。
ブックマークデータ（bookmark_text_data）は、ブックマークに対して定義された固定タグである。
ブックマーク位置識別子（favorite_point_id）は、ブックマークの位置を示す通し番号である。
【００５２】
［パーシャルＴＳの記録動作］
次に、パーシャルＴＳの記録動作を説明する。
図６はパーシャルＴＳの記録動作のフローチャートである。
【００５３】
受信装置１０のホストコントローラ３１は、デマルチプレクス１９より分離されたＰＳＩ／ＳＩを解析してＰＭＴの変化、限定受信モジュール１５からの視聴年齢制限イベントの発生、入力部３３からのブックマーク情報の設定のうちのいずれか一つを検出すると（ステップＳ１０１）、パーシャルＴＳのためのＰＭＴを作成する（ステップＳ１０６）。
【００５４】
限定受信モジュール１５（イベント発生部）からの視聴年齢制限イベントは、当該番組が視聴年齢制限がかけられたものであることが判定された場合に発行される。
【００５５】
ここで、ステップＳ１０１で検出されたイベントが、限定受信モジュール１５から視聴年齢制限イベントである場合には（ステップＳ１０２のＹＥＳ）、ホストコントローラ３１（プライベート記述子挿入部）は、限定受信モジュール１５から供給された視聴年齢制限イベントに含まれる限定受信モジュール識別子およびレイティング情報などの年齢視聴制限情報を格納した登録記述子（registration descriptor）を作成し（ステップＳ１０３）、これをパーシャルＴＳのＰＭＴなどのセクションに挿入する（ステップＳ１０６）。
【００５６】
また、ステップＳ１０１で検出されたイベントが、ユーザが入力部３３（イベント発生部）を操作することによって発生したブックマーク情報の設定である場合（ステップＳ１０４のＹＥＳ）、ホストコントローラ３１（プライベート記述子挿入部）は次のように制御を行う。ホストコントローラ３１（プライベート記述子挿入部）は、当該ブロックマークの設定に伴い生成されたブックマーク識別子（bookmark_id）、ブックマークデータ（bookmark_text_data）、ブックマーク位置識別子（favorite_point_id）などをブックマーク情報として、これらを格納した登録記述子（registration descriptor）を作成し（ステップＳ１０５）、これをパーシャルＴＳのＰＭＴに挿入する（ステップＳ１０６）。
【００５７】
以上のようにして、例えば、視聴年齢制限情報、ブックマーク情報など、受信した放送トランスポートストリームに関連して発生するイベントであって、パーシャルＴＳの規格や放送規格で定められている記述子では表すことができないイベントに関する情報がＰＭＴに記述される。
【００５８】
図７は、パーシャルＴＳの記録時に視聴年齢制限イベントが３回発生した場合のＰＭＴの記録例を示す図である。
レイティング情報などの視聴年齢制限情報は時間で変化することがある。ホストコントローラ３１は、限定受信モジュール１５から供給された視聴年齢制限イベントに含まれる視聴年齢制限情報に変化が発生する度に、この変化した視聴年齢制限情報を格納した登録記述子（registration descriptor）が挿入されたＰＭＴのバージョンナンバーを更新する。すなわち、パーシャルＴＳの再生時には、このバージョンナンバーによって、変化が発生した視聴年齢制限情報を含むＰＭＴをホストコントローラ３１が認識することができる。
【００５９】
［パーシャルＴＳの再生動作］
図８は、図７に示したＰＭＴの記録例に対する再生動作を説明する図である。
パーシャルＴＳの再生時、ホストコントローラ３１は、ＰＭＴから最初の視聴年齢制限情報またはＰＭＴのバージョンナンバーの更新された視聴年齢制限情報を検出すると、この視聴年齢制限情報をホストバス３５を通じて限定受信モジュール１５に出力する（再生制御部）。限定受信モジュール１５はホストコントローラ３１より供給された視聴年齢制限情報とユーザが受信装置１０に設定したパレンタルレベルをもとに、放送トランスポートストリームから視聴年齢制限情報を検出した場合と同様に視聴年齢制限のための制御を行う。かくしてパーシャルＴＳの再生に対して、レイティング情報に基づく視聴年齢制限制御を行うことが可能となる。
【００６０】
［パーシャルＴＳのブックマーク情報を用いた処理］
ホストコントローラ３１は、入力部３３を使ってユーザより与えられた指示に従って、パーシャルＴＳのブックマーク情報を用いた処理を実行する（再生制御部）。
パーシャルＴＳのブックマーク情報を用いた処理としては、例えば、
１．ブックマーク情報の一覧の表示
２．ブックマーク情報に基づく再生位置の選択・移動
などがある。
【００６１】
［パーシャルＴＳのＰＭＴに挿入されたイベントに関する情報の更新処理］
パーシャルＴＳの規格では、パーシャルＴＳの作成時にＰＭＴの内容は確定し、以降その中のデータを変更できない。しかし、例えば、ブックマーク情報などをパーシャルＴＳの作成以後に変更できることは、ブックマークサービスの質の向上につながる。
【００６２】
そこで、ＭＰＥＧの登録記述子（registration descriptor）などのプライベートな記述子としてＰＭＴに挿入された情報をパーシャルＴＳの作成以後に変更することのできる仕組みについて説明する。
【００６３】
図９および図１０は、この仕組みを説明するための図である。
ホストコントローラ３１は、イベントに関する情報の実体である実データ６１を、例えばストレージ２９などの記録媒体にパーシャルＴＳとは別に記録する。この際、ホストコントローラ３１は、実データ６１に参照ＩＤ６２を対応付けて記録する。なお、実データ６１に参照ＩＤ６２を対応付けて記録する記録媒体はホストコントローラ３１内のＲＡＭであってもよく、あるいはパーシャルＴＳが記録されるストレージ２９とは別のストレージであってもよい。
【００６４】
ホストコントローラ３１は、記録媒体に記録されたイベントに関する情報の実データ６１を、ディスプレイ／スピーカ２３のディスプレイと入力部３３などを操作してユーザが更新するためのユーザインタフェースを提供する。ユーザはホストコントローラ３１が提供するユーザインタフェースを使って実データ６１を個々に指定して、参照ＩＤ６２との対応関係を残したまま、その実データ６１の内容を任意の内容へと更新することができる。図１０は、参照ＩＤ＝１０２の実データ６１の内容が"データ１０２"から"データ２０２"に更新された例を示す。
【００６５】
このように実データ６１が更新されたとしても、実データ６１と参照ＩＤ６２との対応関係は存続しているので、ホストコントローラ３１は、パーシャルＴＳのＰＭＴに挿入された参照ＩＤ６３をもとに、記録媒体から対応する更新後の実データ６１を取得することができる。
【００６６】
したがって、この仕組みにより、ＭＰＥＧの登録記述子（registration descriptor）などのプライベートな記述子としてＰＭＴに挿入された情報をパーシャルＴＳの作成以後に変更することができる。
【００６７】
なお、本実施形態では、ＰＭＴに挿入されるプライベートな記述子として、ＭＰＥＧでに定義される登録記述子（registration descriptor）を例示したが、本技術はこれに限定されるものではない。
また、上記の実施形態では、パーシャルＴＳのＰＭＴにプライベートな記述子を挿入することとしたが、例えば、ＳＩＴなどの他のセクションにプライベートな記述子を挿入するようにしてもよい。
【００６８】
本技術は、上述の図示例にのみ限定されるものではなく、本発明の要旨を逸脱しない範囲内において種々変更を加え得ることは勿論である。
【００６９】
なお、本技術は以下のような構成も採ることができる。
（１）放送トランスポートストリームを受信するストリーム受信部と、
前記受信した放送トランスポートストリームからパーシャルトランスポートストリームを生成して記録媒体に記録するパーシャルトランスポートストリーム記録部と、
前記受信した放送トランスポートストリームに関連するイベントを発生するイベント発生部と、
前記発生したイベントに関する情報をプライベート記述子として作成し、前記パーシャルトランスポートストリームのセクションに挿入するプライベート記述子挿入部と
を具備する受信装置。
【００７０】
（２）前記（１）に記載の受信装置であって、
前記イベント発生部は、限定受信モジュールであって、前記受信した放送トランスポートストリームに年齢視聴制限がかけられている場合に前記イベントを発生し、
前記プライベート記述子挿入部は、前記放送トランスポートストリームにかけられた年齢視聴制限に関する情報を前記イベントに関する情報として格納した前記プライベート記述子を生成する
受信装置。
【００７１】
（３）前記（２）に記載の受信装置であって、
前記記録媒体に記録された前記パーシャルトランスポートストリームの再生時に検出された前記年齢視聴制限に関する情報を前記限定受信モジュールに出力する再生制御部
をさらに具備する
受信装置。
【００７２】
（４）前記（１）に記載の受信装置であって、
前記イベント発生部は、前記受信し再生された放送トランスポートストリームに対してブックマークを付加することの指定をユーザより受け付ける入力部であって、前記ブックマークを付加することの指定を受け付けたとき前記イベントを発生し、
前記プライベート記述子挿入部は、前記付加されたブックマークに関する情報を前記イベントに関する情報として格納した前記プライベート記述子を生成する
受信装置。
【００７３】
（５）前記（１）から（４）のうちいずれか１つに記載の受信装置であって、
前記プライベート記述子挿入部は、前記イベントに関する情報の実体を前記記録媒体に記録し、前記イベントに関する情報の実体を参照するための参照情報を前記プライベート記述子に格納する
受信装置。
【符号の説明】
【００７４】
１０…受信装置
１１…受信用アンテナ
１３…フロントエンド
１５…限定受信モジュール
１９…デマルチプレクス
２１…A/Ｖコントローラ
２３…ディスプレイ／スピーカ
２５…ＰＩＤパーサ
２７…ストレージコントローラ
２９…ストレージ
３１…ホストコントローラ
３３…入力部
４１…放送トランスポートストリーム
４３…パーシャルＴＳ
４５…パーシャルＴＳのＰＭＴ
４８…登録記述子
５１…視聴年齢制限情報
５２…ブックマーク情報
【図１】
0005870718.tif 000002
【図２】
0005870718.tif 000003
【図３】
0005870718.tif 000004
【図４】
0005870718.tif 000005
【図５】
0005870718.tif 000006
【図６】
0005870718.tif 000007
【図７】
0005870718.tif 000008
【図８】
0005870718.tif 000009
【図９】
0005870718.tif 000010
【図１０】
0005870718.tif 000011